(57)【特許請求の範囲】
【請求項１】
光記録媒体の表面から情報記録面までの距離が異なる複数種類の光記録媒体から記録情報を再生するための光ピックアップ装置において、
読出光を出射する光源と、
前記読出光を前記記録媒体上に集光するための対物レンズと、
複数の光学素子から構成され、前記光源と前記対物レンズとの間の光路中に設けられて前記読出光を前記対物レンズに導く光学素子群と、
外部からの光記録媒体判別信号に基づいて、前記複数の光学素子のうち、前記距離に起因する球面収差を補正するため少なくとも一部の光学素子に代えて他の光学素子を前記光路中に挿入する光学素子切換手段と、を備え，
前記一部の光学素子および前記他の光学素子は、それぞれ光学定数の異なるコリメータレンズであることを特徴とする光ピックアップ装置。
【発明の詳細な説明】
【０００１】
【産業上の利用分野】
本発明は、光ピックアップ装置及び光記録媒体判別装置に係り、特に記録媒体表面から情報記録面までの距離（基板厚さ）が異なる光記録媒体の記録情報を再生するための光ピックアップ装置及び記録媒体表面から情報記録面までの距離（基板厚さ）が異なる光記録媒体を判別するための光記録媒体判別装置に関する。
【０００２】
【従来の技術】
従来より複数種類の光記録媒体を再生する再生装置として、ＣＤ（Ｃｏｍｐｃｔ  Ｄｉｓｋ  ）、ＬＤ（Ｌａｓｅｒ  ｖｉｓｉｏｎ  Ｄｉｓｋ  ）等を再生可能なマルチディスクプレーヤが知られている。
【０００３】
従来のマルチディスクプレーヤにおいては、ディスク保護層（基板）の厚さ、屈折率等が異なるディスクに対して、最適な光学系を提供すべく、ディスク毎に別個のピックアップ装置を設け、再生すべきディスクに応じてピックアップ装置を選択的に用いることにより、ディスク毎に最適な再生を行なっていた。
【０００４】
また、従来のマルチディスクプレーヤにおいては、厚さが異なるディスクを判別する場合には、機械的なスイッチを設け、このスイッチが押圧されるか否かに基づいて装着されたディスクの種類を判別していた。さらに、外径等の外形が異なる場合には、光センサ等の光学的検出手段を設けることにより、反射光の有無等を判別することにより装着されたディスクの種類を判別していた。
【０００５】
【発明が解決しようとする課題】
ところで、上記従来のマルチディスクプレーヤにおいては、ディスク毎に別個のピックアップ装置を設けていたため、装置が大型化するとともに、コストアップしてしまうという問題点があった。
【０００６】
これを解決するための手法としては、ピックアップ装置を共通化することが考えられるが、ディスクの保護層（基板）の厚さが当該ピックアップ装置に設定された最適な厚さから大きく異なると、集光ビームに球面収差が発生してしまうという問題点があった。
【０００７】
より具体的には、レーザダイオードから出射される読出光の波長をλ、ディスクの保護層の屈折率をｎ、ディスクの保護層の厚さとピックアップ装置に対応する最適な保護層の厚さとの差をΔｄ、対物レンズの開口数をＮＡとすると、球面収差Ｗ４０は、
Ｗ４０＝（（ｎ２  −１）／８ｎ３  ）・Δｄ・（ＮＡ４  ／λ）
で表され、ディスクの保護層の厚さとピックアップ装置に対応する最適な保護層の厚さとの差Δｄが大きくなればなるほど球面収差が大きくなり、読出信号の信号品質が劣化してしまうという問題点があった。
【０００８】
また、上記従来の機械的あるいは光学的ディスク判別装置においては、ディスクの厚さ及び反射率がほぼ等しく、保護層の表面から情報記録面までの距離のみが異なるディスクを判別する場合には、記録フォーマットを比較する等の複雑な判別が必要となり、機械的あるいは光学的な判別手段によって容易に判別することができなかった。
【０００９】
より具体的には、外径が同一である保護層の厚さが０．６ｍｍのディスクを２枚貼り合わせた両面ディスクと保護層の厚さが１．２ｍｍの片面ディスクとを判別することができないという問題点があった。
【００１０】
そこで、本発明の目的は、保護層の厚さが異なる複数種類のディスクを一のピックアップ装置で再生することが可能なピックアップ装置を提供することにある。
【００１２】
【課題を解決するための手段】
上記課題を解決するため、請求項１記載の発明は、光記録媒体の表面から情報記録面までの距離が異なる複数種類の光記録媒体から記録情報を再生するための光ピックアップ装置において、読出光を出射する光源と、前記読出光を前記記録媒体上に集光するための対物レンズと、複数の光学素子から構成され、前記光源と前記対物レンズとの間の光路中に設けられて前記読出光を前記対物レンズに導く光学素子群と、外部からの光記録媒体判別信号に基づいて、前記複数の光学素子のうち、前記距離に起因する球面収差を補正するため少なくとも一部の光学素子に代えて他の光学素子を前記光路中に挿入する光学素子切換手段と、を備え、前記一部の光学素子および前記他の光学素子は、それぞれ光学定数の異なるコリメータレンズであることを特徴とする。
【００１７】
【作用】
請求項１記載の発明によれば、光源は読出光を出射し、対物レンズは、読出光を光記録媒体上に集光する。
このとき、光学素子切換手段は、外部からの光記録媒体判別信号に基づいて、複数の光学素子のうち、距離に起因する球面収差を補正するため少なくとも一部の光学素子に代えての他の光学素子を光路中に挿入する。
この一部の光学素子および他の光学素子は、それぞれ光学定数の異なるコリメータレンズである。従って、光記録媒体判別信号に対応して球面収差を補正できるので、最適な再生が行なえる。
【００２７】
【実施例】
次に図面を参照して本発明の好適な実施例を説明する。
第１実施例
図１に第１実施例のピックアップ装置の概要構成図を示す。
【００２８】
ピックアップ装置１は、読出光を出射するレーザダイオード２と、読出光を３つのビームに分離するためのグレーティング３と、レーザダイオード２からの読出光を反射し後述の対物レンズ側に導くとともに、対物レンズ側からの読出光を透過するハーフミラー４と、拡散光である読出光を平行光にするコリメータレンズ５と、球面レンズやフレネルレンズ等の球面収差を補正するための収差補正素子６と、制御信号ＳＣ  に基づいて駆動制御信号を出力し、補正素子駆動機構７を駆動して収差補正素子６を光路中に挿入し、あるいは、抜き取る駆動回路８と、読出光を光ディスクＤＫ上に集光するための対物レンズ９と、ハーフミラー４を透過した対物レンズ９からの読出光をビーム整形するための凹レンズ１０と、凹レンズ１０により整形された読出光を受光して電気信号に変換して出力する受光素子１１と、ディスク種別を判別し、ディスク判別信号ＳＤ  を出力するディスク判別センサ１２と、ディスク判別信号ＳＤ  に基づいて球面収差補正素子の挿脱を制御する制御信号ＳＣ  を出力する制御回路１３と、を備えて構成されている。
【００２９】
ここでディスク判別センサ１２の構成について図２を参照して説明する。
ディスク判別センサ１２は、図２（ａ）に示すように、対物レンズ９をフォーカス方向に駆動するフォーカスコイルに流れる電流のうち低域成分のみを抽出して低域成分信号として出力するローパスフィルタ１２Ａと、低域成分信号の電圧ＶＤＣを基準電圧ＶＲＥＦ  と比較することによりディスク判別信号ＳＤ  を出力するコンパレータ１２Ｂと、を備えて構成されている。
【００３０】
これにより、ディスク判別センサ１２は、例えば、保護層（基板）厚さ０．６ｍｍのディスクを２枚貼り合わせたＤＶＤ（Ｄｉｇｉｔａｌ  Ｖｉｄｅｏ  Ｄｉｓｋ）と、保護層厚さ１．２ｍｍのＣＤ（Ｃｏｍｐｃｔ  Ｄｉｓｋ  ）を判別するための基準電圧ＶＲＥＦ  を設定する場合には、保護層厚さ０．９ｍｍ（＝（０．６＋１．２）／２）に相当する低域成分信号の電圧ＶＤＣを基準電圧ＶＲＥＦ  として設定する。
【００３１】
通常、保護層は屈折率ｎをもつため、対物レンズのストローク（駆動距離）ｄは、保護層厚さをｔとすると、ビームの入射角が小さいときには、ほぼｔ／ｎに比例する。これにより、図２（ｂ）に示すように保護層厚さ０．６ｍｍのディスクを２枚貼り合わせたＤＶＤにおいて、フォーカスサーボをクローズした場合のレンズの駆動距離と、図２（ｃ）に示すように保護層厚さ１．２ｍｍのＣＤにおいて、フォーカスサーボをクローズした場合のレンズの駆動距離とは、フォーカスサーボを行なわない場合のフォーカス位置を保護層表面であるとすれば、２倍（＝１．２／０．６倍）異なることとなる。
【００３２】
そこで、フォーカスサーボを行なわない場合のフォーカス位置を保護層表面となるように調整しておき、低域成分信号の電圧ＶＤＣとして得られた電圧ＶＭＤＣ  が基準電圧ＶＲＥＦ  を超えた場合に当該光ディスクはＣＤである旨のディスク判別信号を出力するようにし、低域成分信号の電圧ＶＤＣとして得られた電圧ＶＭＤＣ  が基準電圧ＶＲＥＦ  を超えなかった場合に当該光ディスクはＤＶＤである旨のディスク判別信号を出力するようになっている。
【００３３】
以下の動作説明においては、基準電圧ＶＲＥＦ  として上記設定を行なっているものとして説明する。
情報再生に先立ち、ピックアップ装置１は、読出光を光ディスクＤＫの情報記録面上に合焦させるべく、フォーカスサーボをクローズさせ、合焦点状態とする。
【００３４】
これにより、ディスク判別センサ１２のローパスフィルタ１２Ａは、対物レンズ９をフォーカス方向に駆動するフォーカスコイルに流れる電流に対応する電圧信号のうち低域成分のみを抽出して低域成分信号としてコンパレータ１２Ｂに出力する。
【００３５】
これにより、コンパレータ１２は、低域成分信号の電圧ＶＤＣを基準電圧ＶＲＥＦ  と比較することにより装着された光ディスクの種類に対応するディスク判別信号を制御回路１３に出力する。
【００３６】
より具体的には、低域成分信号の電圧ＶＤＣとして得られた電圧ＶＭＤＣ  が基準電圧ＶＲＥＦ  を超えた場合に当該光ディスクはＣＤである旨のディスク判別信号を制御回路１３に出力し、低域成分信号の電圧ＶＤＣとして得られた電圧ＶＭＤＣ  が基準電圧ＶＲＥＦ  を超えなかった場合に当該光ディスクはＤＶＤである旨のディスク判別信号を制御回路１３に出力する。
【００３７】
これにより、制御回路１３は、ディスク判別信号に基づいて球面収差補正素子の挿脱を制御する制御信号を駆動回路８に出力する。
この結果、駆動回路８は、制御信号に基づいて駆動制御信号を補正素子駆動機構７に出力し、ディスク判別信号に対応して収差補正素子６を光路中に挿入し、あるいは、抜き取る。
【００３８】
具体的には、収差補正素子を光路中に挿入しない場合にＣＤに最適な光学系に設定した場合には、図３に示すように、ディスク判別信号により、装着された光ディスクがＣＤである場合には、光路中に収差補正素子６が挿入されていない場合には、そのままとし、光路中に収差補正素子６が挿入されている場合には、収差補正素子６を光路中から抜き取ることとなる。
【００３９】
また、ディスク判別信号により、装着された光ディスクがＤＶＤである場合には、光路中に収差補正素子６が挿入されていない場合には、光路中に収差補正素子６を挿入し、光路中に収差補正素子６が挿入されている場合には、収差補正素子６をそのままとする。
【００４０】
以上の説明のように第１実施例によれば、装着された光ディスクの種類を保護層の厚さの差のみから検出し、最適な収差補正を行なうので、装着された光ディスクに最適な再生動作を容易に行なえることとなる。
【００４１】
上記第１実施例においては、保護層の厚さの異なる２種類の光ディスク（ＣＤ及びＤＶＤ）を判別する場合について説明したが、コンパレータ１２Ｂにおける基準電圧を複数設定し、３種類以上の光ディスクを判別して、収差補正素子を切換えるように構成することも可能である。
第２実施例
図４に第２実施例のピックアップ装置の概要構成図を示す。図４において、図１の第１実施例と同様の部分には同一の符号を付するものとし、装着されるディスクはＣＤとＤＶＤの２種類であるものとする。
【００４２】
ピックアップ装置２０は、読出光を出射するレーザダイオード２と、読出光を３つのビームに分離するためのグレーティング３と、レーザダイオード２からの読出光を反射し後述の対物レンズ側に導くとともに、対物レンズ側からの読出光を透過するハーフミラー４と、ＣＤに適合する光学定数を有し、拡散光である読出光を平行光にする第１コリメータレンズＡと、ＤＶＤに適合する光学定数を有し、拡散光である読出光を平行光にする第２コリメータレンズＢと、制御信号に基づいて駆動制御信号を出力し、補正素子駆動機構７Ａを駆動して第１コリメータレンズＡ及び第２コリメータレンズＢを切換える駆動回路８Ａと、読出光を光ディスクＤＫ上に集光するための対物レンズ９と、ハーフミラー４を透過した対物レンズ９からの読出光をビーム整形するための凹レンズ１０と、凹レンズ１０により整形された読出光を受光して電気信号に変換して出力する受光素子１１と、ディスク種別を判別し、ディスク判別信号ＳＤ  を出力するディスク判別センサ１２と、ディスク判別信号に基づいて球面収差補正素子の挿脱を制御する制御信号を出力する制御回路１３と、を備えて構成されている。
【００４３】
情報再生に先立ち、ピックアップ装置１は、光ディスクＤＫの情報記録面上にフォーカスさせるべく、フォーカスサーボをクローズさせる。
これにより、ディスク判別センサ１２のローパスフィルタ１２Ａは、対物レンズ９をフォーカス方向に駆動するフォーカスコイルに流れる電流のうち低域成分のみを抽出して低域成分信号としてコンパレータ１２Ｂに出力する。
【００４４】
これにより、コンパレータ１２Ｂは、低域成分信号の電圧ＶＤＣを基準電圧ＶＲＥＦ  と比較することにより装着された光ディスクの種類に対応するディスク判別信号を出力する制御回路１３に出力する。
【００４５】
より具体的には、低域成分信号の電圧ＶＤＣとして得られた電圧ＶＭＤＣ  が基準電圧ＶＲＥＦ  を超えた場合に当該光ディスクはＣＤである旨のディスク判別信号を制御回路１３に出力し、低域成分信号の電圧ＶＤＣとして得られた電圧ＶＭＤＣ  が基準電圧ＶＲＥＦ  を超えなかった場合に当該光ディスクはＤＶＤである旨のディスク判別信号を制御回路１３に出力する。
【００４６】
これにより、制御回路１３は、ディスク判別信号に基づいてコリメータレンズの切換えを制御する制御信号を駆動回路８Ａに出力する。
この結果、駆動回路８Ａは、制御信号に基づいて駆動制御信号を補正素子駆動機構７に出力し、ディスク判別信号に対応して装着されたディスクに対応するコリメータレンズを切換える。
【００４７】
より具体的には、図５に示すように、ディスク判別信号により、装着された光ディスクがＣＤである場合には、光路中に第１コリメータレンズＡが挿入されている場合には、そのままとし、光路中に第２コリメータレンズＢが挿入されている場合には、第２コリメータレンズＢを第１コリメータレンズＡに切換える。
【００４８】
また、ディスク判別信号により、装着された光ディスクがＤＶＤである場合には、光路中に第１コリメータレンズＡが挿入されている場合には、第１コリメータレンズＡを第２コリメータレンズＢに切換え、光路中に第２コリメータレンズＢが挿入されている場合には、そのままとする。
【００４９】
以上の説明のように第２実施例によれば、装着された光ディスクの種類を保護層の厚さの差のみから検出し、最適なコリメータレンズに切換えるので、装着された光ディスクに最適な再生動作を容易に行なえることとなる。
【００５０】
上記第２実施例においては、保護層の厚さの異なる２種類の光ディスク（ＣＤ及びＤＶＤ）に対応してコリメータレンズを切換える場合について説明したが、コリメータレンズを複数用意し、３種類以上の光ディスクを判別して、コリメータレンズを切換えるように構成することも可能である。
【００５１】
さらに上記第２実施例においては、コリメータレンズを切換える場合について説明したが、他の光学素子を切換えるように構成することも可能である。
第３実施例
上記第１実施例及び第２実施例においては、収差補正素子あるいはコリメータレンズ以外の光学系は１系統の場合について説明したが、本第３実施例は、発光系を２系統設けた場合の実施例である。
【００５２】
図６に第３実施例のピックアップ装置の概要構成図を示す。図６において、図１の第１実施例と同様の部分には同一の符号を付すものとし、装着されるディスクはＣＤとＤＶＤの２種類であるものとする。
【００５３】
ピックアップ装置３０は、読出光を出射する第１レーザダイオード２Ａと、第１レーザダイオードを駆動する第１駆動回路３１Ａと、第１レーザダイオード２Ａからの読出光を３つのビームに分離するための第１グレーティング３Ａと、ＣＤに適合する光学定数を有し、第１レーザダイオード２Ａからの拡散光である読出光を平行光にする第１コリメータレンズ３２Ａと、読出光を出射する第２レーザダイオード２Ｂと、第２レーザダイオード２Ｂを駆動する第２駆動回路３１Ｂと、第２レーザダイオード２Ｂからの読出光を３つのビームに分離するための第２グレーティング３Ｂと、第１レーザダイオード２Ａからの拡散光である読出光を平行光にする第２コリメータレンズ３２Ｂと、第１コリメータレンズ３２Ａからの読出光を透過し、第２コリメータレンズ３２Ｂからの読出光を反射する第１ビームスプリッタ３３と、ビームスプリッタ３３からの読出光を透過し、後述の対物レンズ側からの読出光を透過する第２ビームスプリッタ３４と、読出光を光ディスクＤＫ上に集光するための対物レンズ９と、ハーフミラー４を透過した対物レンズ９からの読出光をビーム整形するための凹レンズ１０と、凹レンズ１０により整形された読出光を受光して電気信号に変換して出力する受光素子１１と、ディスク種別を判別し、ディスク判別信号を出力するディスク判別センサ１２と、ディスク判別信号に基づいて第１駆動回路３１Ａあるいは第２駆動回路３１Ｂを選択的に制御する制御信号を出力する制御回路１３と、を備えて構成されている。
【００５４】
情報再生に先立ち、ピックアップ装置３０は、読出光を光ディスクＤＫの情報記録面上に合焦させるべく、フォーカスサーボをクローズさせる。
これにより、ディスク判別センサ１２のローパスフィルタ１２Ａは、対物レンズ９をフォーカス方向に駆動するフォーカスコイルに流れる電流のうち低域成分のみを抽出して低域成分信号としてコンパレータ１２Ｂに出力する。
【００５５】
これにより、コンパレータ１２は、低域成分信号の電圧ＶＤＣを基準電圧ＶＲＥＦ  と比較することにより装着された光ディスクの種類に対応するディスク判別信号を出力する制御回路１３に出力する。
【００５６】
より具体的には、低域成分信号の電圧ＶＤＣとして得られた電圧ＶＭＤＣ  が基準電圧ＶＲＥＦ  を超えた場合に当該光ディスクはＣＤである旨のディスク判別信号を制御回路１３に出力し、低域成分信号の電圧ＶＤＣとして得られた電圧ＶＭＤＣ  が基準電圧ＶＲＥＦ  を超えなかった場合に当該光ディスクはＤＶＤである旨のディスク判別信号を制御回路１３に出力する。
【００５７】
これにより、制御回路１３は、ディスク判別信号に基づいて制御信号を第１駆動回路３１Ａあるいは第２駆動回路３１Ｂのいずれかに選択的に出力する。
この結果、選択されたいずれかの駆動回路は、対応するレーザダイオードを駆動し、再生を行なうこととなる。
【００５８】
より具体的には、ディスク判別信号により装着された光ディスクがＣＤである場合には、図７（ａ）に示すように、第１駆動回路３１Ａを駆動して、第１レーザダイオード２Ａに読出光を出射させて再生を行なう。
【００５９】
また、ディスク判別信号により装着された光ディスクがＤＶＤである場合には、図７（ｂ）に示すように、第２駆動回路３１Ｂを駆動して、第２レーザダイオード２Ｂに読出光を出射させて再生を行なう。
【００６０】
以上の説明のように第３実施例よれば、装着された光ディスクの種類を保護層の厚さの差のみから検出し、最適な発光光学系に切換えるので、装着された光ディスクに最適な再生動作を容易に行なえることとなる。
【００６１】
上記第３実施例においては、保護層の厚さの異なる２種類の光ディスク（ＣＤ及びＤＶＤ）に対応して発光光学系を切換える場合について説明したが、発光光学系を複数系統用意し、３種類以上の光ディスクを判別して、発光光学系を切換えるように構成することも可能である。
第４実施例
図８に第４実施例のピックアップ装置の概要構成ブロック図を示す。
【００６２】
上記第３実施例においては、発光光学系を駆動回路を含めて２系統以上設けるものであったが、本第４実施例は、駆動回路を共通として回路構成を簡略化する場合の実施例である。本第４実施例において図６の第３実施例と同様の部分には同一の符号を付すものと、装着されるディスクはＣＤとＤＶＤの２種類であるものとする。
【００６３】
ピックアップ装置４０は、読出光を出射する第１レーザダイオード２Ａと、第１レーザダイオード２Ａからの読出光を３つのビームに分離するための第１グレーティング３Ａと、ＣＤに適合する光学定数を有し、第１レーザダイオード２Ａからの拡散光である読出光を平行光にする第１コリメータレンズ３２Ａと、読出光を出射する第２レーザダイオード２Ｂと、第１レーザダイオード２Ａ又は第２レーザダイオード２Ｂを駆動する駆動回路４１と、第２レーザダイオード２Ｂからの読出光を３つのビームに分離するための第２グレーティング３Ｂと、ＤＶＤに適合する光学定数を有し、第１レーザダイオード２Ａからの拡散光である読出光を平行光にする第２コリメータレンズ３２Ｂと、第１コリメータレンズ３２Ａからの読出光を透過し、第２コリメータレンズ３２Ｂからの読出光を反射する第１ビームスプリッタ３３と、ビームスプリッタ３３からの読出光を透過し、後述の対物レンズ側からの読出光を透過する第２ビームスプリッタ３４と、読出光を光ディスクＤＫ上に集光するための対物レンズ９と、ハーフミラー４を透過した対物レンズ９からの読出光をビーム整形するための凹レンズ１０と、凹レンズ１０により整形された読出光を受光して電気信号に変換して出力する受光素子１１と、ディスク種別を判別し、ディスク判別信号を出力するディスク判別センサ１２と、ディスク判別信号に基づいて駆動回路４１を第１レーザダイオード２Ａ又は第２レーザダイオード２Ｂに接続する切換回路４２と、を備えて構成されている。
【００６４】
情報再生に先立ち、ピックアップ装置４０は、読出光を光ディスクＤＫの情報記録面上に合焦させるべく、フォーカスサーボをクローズさせる。
これにより、ディスク判別センサ１２のローパスフィルタ１２Ａは、対物レンズ９をフォーカス方向に駆動するフォーカスコイルに流れる電流のうち低域成分のみを抽出して低域成分信号としてコンパレータ１２Ｂに出力する。
【００６５】
これにより、コンパレータ１２は、低域成分信号の電圧ＶＤＣを基準電圧ＶＲＥＦ  と比較することにより装着された光ディスクの種類に対応するディスク判別信号を切換回路４２に出力する。
【００６６】
より具体的には、低域成分信号の電圧ＶＤＣとして得られた電圧ＶＭＤＣ  が基準電圧ＶＲＥＦ  を超えた場合に当該光ディスクはＣＤである旨のディスク判別信号を切換回路４２に出力し、低域成分信号の電圧ＶＤＣとして得られた電圧ＶＭＤＣ  が基準電圧ＶＲＥＦ  を超えなかった場合に当該光ディスクはＤＶＤである旨のディスク判別信号を切換回路４２に出力する。
【００６７】
これにより、切換回路４２は、ディスク判別信号に基づいて駆動回路４１を第１レーザダイオード２Ａ又は第２レーザダイオード２Ｂのいずれかに選択的に出力する。
【００６８】
この結果、選択されたいずれかのレーザダイオードが駆動されて再生を行なうこととなる。
より具体的には、ディスク判別信号により装着された光ディスクがＣＤである場合には、駆動回路４１は第１レーザダイオード２Ａを駆動し、第１レーザダイオード２Ａに読出光を出射させて再生を行なう。
【００６９】
また、ディスク判別信号により装着された光ディスクがＤＶＤである場合には、駆動回路４１は第２レーザダイオード２Ｂを駆動して、第２レーザダイオード２Ｂに読出光を出射させて再生を行なう。
【００７０】
以上の説明のように第４実施例よれば、装着された光ディスクの種類を保護層の厚さの差のみから検出し、最適な発光光学系（レーザダイオード）を駆動するので、装着された光ディスクに最適な再生動作を容易に行なえることとなる。
【００７１】
上記第４実施例においては、保護層の厚さの異なる２種類の光ディスク（ＣＤ及びＤＶＤ）に対応して駆動回路が駆動すべきレーザダイオードを切換える場合について説明したが、３種類以上の光ディスクを判別して、駆動すべきレーザダイオードを切換えるように構成することも可能である。
第５実施例
図９に第５実施例のピックアップ装置の概要動作説明図を示す。図９において、図７の第３実施例の概要動作説明図と同様の部分には同一の符号を付すものとする。
【００７２】
図９の第５実施例において、図７の第３実施例と異なる点は、第１ビームスプリッタ３３に代えて、ハーフミラー５１を設けた点である。
他の構成要素並びに動作については図７と同様であるので、その詳細な説明は省略する。
【００７３】
本第５実施例によれば、第３実施例と同様に、装着された光ディスクの種類を保護層の厚さの差のみから検出し、最適な発光光学系に切換えるので、装着された光ディスクに最適な再生動作を容易に行なえることとなる。
【００７４】
上記第５実施例においては、保護層の厚さの異なる２種類の光ディスク（ＣＤ及びＤＶＤ）に対応して発光光学系を切換える場合について説明したが、発光光学系を複数系統用意し、３種類以上の光ディスクを判別して、発光光学系を切換えるように構成することも可能である。
【００７５】
【発明の効果】
請求項１記載の発明によれば、光学素子切換手段は、外部からの光記録媒体判別信号に基づいて、複数の光学素子のうち、装置に装着された光記録媒体の表面から情報記録面までの距離に起因する球面収差を補正するため少なくとも一部の光学素子に代えての他の光学素子を光路中に挿入し、該一部の光学素子および該他の光学素子は、それぞれ光学定数の異なるコリメータレンズであり、光記録媒体判別信号に対応して球面収差を補正できるので、最適な再生が行なえる。
【図面の簡単な説明】
【図１】第１実施例のピックアップ装置の概要構成ブロック図である。
【図２】ディスク判別センサの動作説明図である。
【図３】第１実施例の動作説明図である。
【図４】第２実施例のピックアップ装置の概要構成ブロック図である。
【図５】第２実施例の動作説明図である。
【図６】第３実施例のピックアップ装置の概要構成ブロック図である。
【図７】第３実施例の動作説明図である。
【図８】第４実施例のピックアップ装置の概要構成ブロック図である。
【図９】第５実施例の動作説明図である。
【符号の説明】
１…ピックアップ装置
２…レーザダイオード
３…グレーティング
３Ａ…第１グレーティング
３Ｂ…第２グレーティング
４…ハーフミラー
５…コリメータレンズ
６…収差補正素子
７…補正素子駆動機構
８…駆動回路
８Ａ…駆動回路
９…対物レンズ
１０…凹レンズ
１１…受光素子
１２…ディスク判別センサ
１２Ａ…ローパスフィルタ
１２Ｂ…コンパレータ
１３…制御回路
２０…ピックアップ装置
３０…ピックアップ装置
３１Ａ…第１駆動回路
３１Ｂ…第２駆動回路
３２Ａ…第１コリメータレンズ
３２Ｂ…第２コリメータレンズ
３３…第１ビームスプリッタ
３４…第２ビームスプリッタ
４０…ピックアップ装置
４１…駆動回路
４２…切換回路
５１…ハーフミラー
ＤＫ…光ディスク
ＳＣ  …制御信号
ＳＤ  …ディスク判別信号
ＶＤＣ…低域成分信号の電圧
ＶＲＥＦ  …基準電圧
【図１】
0003599399.tif 000002
【図２】
0003599399.tif 000003
【図３】
0003599399.tif 000004
【図４】
0003599399.tif 000005
【図５】
0003599399.tif 000006
【図６】
0003599399.tif 000007
【図７】
0003599399.tif 000008
【図８】
0003599399.tif 000009
【図９】
0003599399.tif 000010